(57)【要約】      （修正有）【課題】ユーザの意図した値から大きく外れた数値データが測定データ入力部に入力された場合に、適切な補正データを得ることができ、ユーザにとっての利便性が向上した健康管理装置を提供する。【解決手段】健康管理装置１００において測定データ補正部５４は、適正範囲の上限値を超えた測定データについては、第１の特定補正処理として、該測定データを１０で除算する除算処理を繰返して実施し、適正基準値の８０〜１２０％の範囲内となった時点の値を、補正測定データとして出力する。また、測定データ補正部５４は、適正範囲の下限値未満の測定データについては、該測定データが特定検査項目に対応したデータである場合に、該測定データに予め定める第２の特定補正処理を施して、その第２の特定補正処理後の値を、補正測定データとして出力する。【選択図】図１
2015139587.tif 000002
【特許請求の範囲】
【請求項１】
特定の検査項目を含む複数の検査項目について測定された測定データが、各検査項目に対応させてそれぞれ入力される測定データ入力部と、
前記各検査項目について適正とされる測定値の適正範囲が、予め記憶された第１記憶部と、
前記測定データ入力部に測定データが入力されると、該測定データが入力された日時を表す日時情報を取得する日時情報取得部と、
前記測定データ入力部に入力された測定データが、前記第１記憶部に記憶された、対応する検査項目の適正範囲内であるか否かを判定する判定部と、
前記判定部によって適正範囲内ではないと判定された測定データを補正して補正測定データを出力する測定データ補正部であって、
適正範囲の上限値を超えた測定データについては、予め定める第１の特定補正処理を該測定データに施して、その第１の特定補正処理後の値を、前記補正測定データとして出力し、
適正範囲の下限値未満の測定データについては、該測定データが特定の検査項目に対応した測定データである場合に、予め定める第２の特定補正処理を該測定データに施して、その第２の特定補正処理後の値を、前記補正測定データとして出力する測定データ補正部と、
前記判定部によって適正範囲内であると判定された測定データと、前記日時情報取得部によって取得された、該測定データが入力された日時を表す日時情報とを関連付け、前記測定データ補正部によって出力された補正測定データと、前記日時情報取得部によって取得された、該補正測定データの補正前の測定データが入力された日時を表す日時情報とを関連付けて記憶する第２記憶部と、を含むことを特徴とする健康管理装置。
【請求項２】
前記第１記憶部には、前記適正範囲内の予め定める適正基準値が、各検査項目にそれぞれ対応付けられて、予め記憶されており、
前記測定データ補正部は、前記第１の特定補正処理として、適正範囲の上限値を超えた測定データを１０で除算する除算処理を繰返して実施し、前記適正基準値の８０〜１２０％の範囲内となった時点の値を、前記補正測定データとして出力することを特徴とする請求項１に記載の健康管理装置。
【請求項３】
前記特定の検査項目は、体温（℃）であり、
前記測定データ補正部は、前記第２の特定補正処理として、体温に対応する、適正範囲の下限値未満の測定データに３０を加算する加算処理を実施し、その加算処理後の値を前記補正測定データとして出力することを特徴とする請求項１または２に記載の健康管理装置。
【請求項４】
前記特定の検査項目は、睡眠時間（分間／日）であり、
前記測定データ補正部は、前記第２の特定補正処理として、睡眠時間に対応する、適正範囲の下限値未満の測定データに６０を乗算する乗算処理を実施し、その乗算処理後の値を前記補正測定データとして出力することを特徴とする請求項１または２に記載の健康管理装置。
【発明の詳細な説明】
【技術分野】
【０００１】
本発明は、ユーザの健康管理を支援するための健康管理装置に関する。
【背景技術】
【０００２】
近年、健康への関心が高まりをみせており、血圧や体重、体温などを日頃から管理し、ジョギングやウォーキングなどの運動を積極的に行う人が増えはじめている。個人向け、家庭向け、老人ホームなどの施設向けの健康検査機器としては血圧計、血糖計、体重計、体組成計、体温計などのさまざまな種類の検査機器が普及し、また運動を支援するための健康検査機器としては歩数計や活動量計などが提供されており、これらは健康管理ツールの１つとして活用されている。
【０００３】
しかしながら、これらの健康検査機器で得ることができる情報は、あくまでも単なる数値（しかも測定した時点のスポット的な数値）でしかなく、その数値をどのように健康管理に生かすかはユーザ次第であるのが現状であった。
【０００４】
そこで、個人、家庭、あるいは老人ホームなどの施設における健康管理を支援するために欠くことのできない観点として「継続性」が挙げられる。健康な状態を保つため、あるいは、疾病の発症リスクを下げるためには、健康検査機器を用いて日常的に生体指標を検査したり、定期的な運動を心がけたりといった習慣が最も効果的であるし、健康検査機器によって測定された測定データが長期間にわたって蓄積されるほど有益な情報を提供できるからである。
【０００５】
たとえば、健康検査機器によって測定された測定データを蓄積して、ユーザの健康状態を支援するための電子機器として、タブレット端末装置などの携帯端末装置によって実現される健康管理装置が提案されている。このような健康管理装置は、健康検査機器によって測定された測定データを入力するための、タッチパネルなどによって実現される測定データ入力部と、該測定データ入力部に入力された測定データを、入力されるごとに記憶して蓄積する記憶部とを含んで構成されている。ユーザは、前記記憶部に記憶されている測定データを、たとえば表示ディスプレイなどに表示させることによって確認することができ、これによって自身の健康状態の変化を分析して健康管理に役立てることができる。
【０００６】
ところで、健康管理装置では、ユーザの誤入力により、明らかに異常な値が測定データとして測定データ入力部に入力される場合がある。このような、異常な値が誤入力される場合を想定して、測定データ入力部に入力された数値が適正範囲内であるか否かを判定して、適正範囲外であると判定されたときに、その入力された数値を受け付けない処理が一般的に行われている。
【０００７】
しかしながら、適正範囲外の数値が測定データ入力部に入力された場合に、その入力された数値を受け付けない処理を施しただけでは、ユーザにとって利便性がよい健康管理装置であるとは言えない。
【０００８】
健康管理装置に係る技術ではないけれども、たとえば特許文献１，２には、時系列的に数値データを収集する機器等において、異常な値が誤入力された場合に、その異常な値の入力数値データを補正する技術が開示されている。
【先行技術文献】
【特許文献】
【０００９】
【特許文献１】特開平１０−２６０７１８号公報
【特許文献２】特開平９−６２４２６号公報
【発明の概要】
【発明が解決しようとする課題】
【００１０】
特許文献１，２に開示される技術を健康管理装置に適用した場合、適正範囲外の測定データが測定データ入力部に入力されたときに、その入力された測定データを微調整して補正することができる。
【００１１】
しかしながら、たとえばユーザが、測定データなどの数値データの測定データ入力部に対する入力操作に不慣れである場合、桁数に誤りがあるなどで、ユーザの意図した値から大きく外れた数値データが入力されてしまうことがある。このような場合には、特許文献１，２に開示されるような微調整して入力数値データを補正する技術では、適切な補正データを得ることができず、ユーザにとっての利便性が向上したとは言えない。
【００１２】
本発明の目的は、健康検査機器によって測定された測定データを入力するための測定データ入力部を備えた健康管理装置において、ユーザの意図した値から大きく外れた数値データが測定データ入力部に入力された場合に、適切な補正データを得ることができ、ユーザにとっての利便性が向上した健康管理装置を提供することである。
【課題を解決するための手段】
【００１３】
本発明は、特定の検査項目を含む複数の検査項目について測定された測定データが、各検査項目に対応させてそれぞれ入力される測定データ入力部と、
前記各検査項目について適正とされる測定値の適正範囲が、予め記憶された第１記憶部と、
前記測定データ入力部に測定データが入力されると、該測定データが入力された日時を表す日時情報を取得する日時情報取得部と、
前記測定データ入力部に入力された測定データが、前記第１記憶部に記憶された、対応する検査項目の適正範囲内であるか否かを判定する判定部と、
前記判定部によって適正範囲内ではないと判定された測定データを補正して補正測定データを出力する測定データ補正部であって、
適正範囲の上限値を超えた測定データについては、予め定める第１の特定補正処理を該測定データに施して、その第１の特定補正処理後の値を、前記補正測定データとして出力し、
適正範囲の下限値未満の測定データについては、該測定データが特定の検査項目に対応した測定データである場合に、予め定める第２の特定補正処理を該測定データに施して、その第２の特定補正処理後の値を、前記補正測定データとして出力する測定データ補正部と、
前記判定部によって適正範囲内であると判定された測定データと、前記日時情報取得部によって取得された、該測定データが入力された日時を表す日時情報とを関連付け、前記測定データ補正部によって出力された補正測定データと、前記日時情報取得部によって取得された、該補正測定データの補正前の測定データが入力された日時を表す日時情報とを関連付けて記憶する第２記憶部と、を含むことを特徴とする健康管理装置である。
【００１４】
また本発明の健康管理装置において、前記第１記憶部には、前記適正範囲内の予め定める適正基準値が、各検査項目にそれぞれ対応付けられて、予め記憶されており、
前記測定データ補正部は、前記第１の特定補正処理として、適正範囲の上限値を超えた測定データを１０で除算する除算処理を繰返して実施し、前記適正基準値の８０〜１２０％の範囲内となった時点の値を、前記補正測定データとして出力することを特徴とする。
【００１５】
また本発明の健康管理装置において、前記特定の検査項目は、体温（℃）であり、
前記測定データ補正部は、前記第２の特定補正処理として、体温に対応する、適正範囲の下限値未満の測定データに３０を加算する加算処理を実施し、その加算処理後の値を前記補正測定データとして出力することを特徴とする。
【００１６】
また本発明の健康管理装置において、前記特定の検査項目は、睡眠時間（分間／日）であり、
前記測定データ補正部は、前記第２の特定補正処理として、睡眠時間に対応する、適正範囲の下限値未満の測定データに６０を乗算する乗算処理を実施し、その乗算処理後の値を前記補正測定データとして出力することを特徴とする。
【発明の効果】
【００１７】
本発明によれば、測定データ入力部に入力された測定データについて判定部によって、第１記憶部に記憶された適正範囲内ではないと判定された測定データを、測定データ補正部が補正する。この測定データ補正部は、適正範囲の上限値を超えた測定データについては、予め定める第１の特定補正処理を該測定データに施して、その第１の特定補正処理後の値を、補正測定データとして出力する。具体的には、測定データ補正部は、前記第１の特定補正処理として、適正範囲の上限値を超えた測定データを１０で除算する除算処理を繰返して実施し、第１記憶部に記憶された適正基準値の８０〜１２０％の範囲内となった時点の値を、補正測定データとして出力する。また、測定データ補正部は、適正範囲の下限値未満の測定データについては、該測定データが特定の検査項目に対応した測定データである場合に、該測定データに予め定める第２の特定補正処理を施して、その第２の特定補正処理後の値を、補正測定データとして出力する。
【００１８】
さらに、健康管理装置において第２記憶部は、判定部によって適正範囲内であると判定された測定データ、および、測定データ補正部によって出力された補正測定データを、検査項目ごとに、日時情報取得部によって取得された日時情報と関連付けて記憶する。
【００１９】
上記のように構成された健康管理装置は、桁数に誤りがあるなどで、ユーザの意図した値から大きく外れた測定データが測定データ入力部に入力された場合に、測定データ補正部によって適切な値に補正された補正測定データが出力され、ユーザにとっての利便性が向上されたものとなる。そして、第２記憶部には、判定部によって適正範囲内であると判定された測定データ、および、測定データ補正部によって出力された補正測定データが、検査項目ごとに、日時情報と関連付けて記憶されるので、ユーザは、この第２記憶部に記憶されているデータを、たとえば表示部などに表示させることによって確認することができ、これによって自身の健康状態の変化を分析して健康管理に役立てることができる。
【図面の簡単な説明】
【００２０】
【図１】本発明の一実施形態に係る健康管理装置１００の構成を概略的に示すブロック図である。
【図２Ａ】表示部２の表示面２１に表示される画像の一例を示す図である。
【図２Ｂ】表示部２の表示面２１に表示される画像の他の例を示す図である。
【図３】健康管理装置１００の動作を示すフローチャートである。
【発明を実施するための形態】
【００２１】
（実施例１）
図１は、本発明の一実施形態に係る健康管理装置１００の構成を概略的に示すブロック図である。図２Ａは、表示部２の表示面２１に表示される画像の一例を示す図である。図２Ｂは、表示部２の表示面２１に表示される画像の他の例を示す図である。健康管理装置１００は、ユーザの健康状態の変化の分析が可能な、ユーザの健康管理を支援することができる装置であり、タブレット端末装置などの携帯端末装置によって実現される。
【００２２】
健康管理装置１００は、測定データ入力部として機能するタッチパネル１と、表示部２と、移動体通信モジュール３と、操作キー部４と、制御部５と、日時情報取得部として機能する計時部６と、第１記憶部７と、第２記憶部８とを含んで構成される。
【００２３】
表示部２は、液晶パネルおよびバックライトを備える液晶ディスプレイや、有機ＥＬ（Electro-Luminescence）ディスプレイなどによって実現され、本実施形態では、液晶ディスプレイである。この表示部２は、詳細については後述するが、図２Ａおよび図２Ｂに示すように、「身長」、「体重」、「体脂肪率」、「脂肪量」、「筋肉量」、「体水分量」、「推定骨量」、「基礎代謝量」、「最高血圧」、「最低血圧」、「脈拍」、「血糖値」、「腹囲」、「体温」、「間食」、「酒摂取量」、「歩数」、「睡眠時間」、「排尿回数」、「排便回数」などの複数の検査項目２１１と、該各検査項目２１１に対応する単位を表す単位情報２１２との画像データに基づく画像を表示面２１に表示するとともに、タッチパネル１における測定データの入力領域１１を表す画像を表示面２１に表示する。
【００２４】
タッチパネル１は、表示部２の表示面２１に重ねられて設けられる。タッチパネル１としては、赤外線遮断方式、抵抗膜方式、表面型静電容量方式、投影型静電容量方式、超音波表面弾性波方式、音響パルス認識方式、振動検出方式、電磁誘導方式、画像認識方式、あるいは光センサ内蔵ＬＣＤ方式のタッチパネルを用いることができる。また、たとえば、表示部２の表示面２１上に、ユーザのタッチ操作を検出するためのタッチパネル１を取り付けたオーバーレイ構造であってもよく、タッチパネル１を表示部２と一体化させた構造であってもよい。タッチパネル１は、血圧計、血糖計、体重計、体組成計、体温計などの健康検査機器によって測定された、体温（℃）や睡眠時間（分間／日）などの特定検査項目を含む複数の検査項目２１１にそれぞれ対応した測定データが、入力領域１１に入力される。
【００２５】
移動体通信モジュール３は、たとえばＩＭＴ−２０００（International Mobile Telecommunications 2000）規格に準拠した第３世代移動通信システムなどの移動体通信システムによる無線通信を実行する無線通信デバイスである。移動体通信モジュール３は、移動体通信のセルラーネットワークの無線基地局との間で無線接続を確立することによって、ＣＤＭＡ（Code Division Multiple Access）などの方式によって無線通信を行う。
【００２６】
操作キー部４は、たとえば電源ボタンなどから成り、ユーザによる押下操作によって健康管理装置１００における電力の供給状態の切替操作が実行される。また、計時部６は、タッチパネル１に測定データが入力された日時を表す日時情報を取得する。
【００２７】
第１記憶部７は、フラッシュメモリなどの半導体メモリによって実現され、健康管理装置１００の基本的な機能を実現するオペレーティングシステム（ＯＳ：Operating System）プログラムが記憶されるとともに、Ｗｅｂブラウジング機能を実現するブラウザプログラムなどの種々のアプリケーションプログラムが記憶される。
【００２８】
本実施形態では、この第１記憶部７には、コンピュータを健康管理装置１００として機能させるためのプログラムであり、後述する測定データ補正処理を実行するためのプログラム（以下、「測定データ補正プログラム」と称する）が記憶されている。なお、この測定データ補正プログラムは、健康管理装置１００に予めインストールされていてもよく、または、インターネットからダウンロードするなどして取得し、インストールされてもよい。
【００２９】
また、第１記憶部７は、各検査項目２１１について適正とされる測定値の適正範囲と、該適正範囲内の予め定める適正基準値とが、予め記憶されている。なお、前記適正基準値の初期設定値としては、各検査項目２１１に対応した、良好な健康状態の指標となる一般的な正常値である。具体的には、第１記憶部７には、表１に示すように、「検査項目」と、「単位」と、適正範囲の「上限値」および「下限値」とが関連付けられた適正範囲テーブルが記憶されている。
【００３０】
【表１】
2015139587.tif 000003
【００３１】
制御部５は、健康管理装置１００の各部の動作を制御する処理部であり、たとえば、中央演算処理装置（ＣＰＵ：Central Processing Unit）、ＲＯＭ（Read Only Memory）およびＲＡＭ（Random Access Memory）を備えるマイクロコンピュータ、マイクロプロセッサなどによって実現される処理回路である。制御部５は、第１記憶部７からＲＡＭにロードされるオペレーティングシステムプログラムおよびアプリケーションプログラムを実行するとともに、測定データ補正プログラムを実行する。
【００３２】
制御部５は、座標情報出力部５１と、表示制御部５２と、判定部５３と、測定データ補正部５４と、適正基準値更新部５５とを含んで構成される。制御部５は、測定データ補正プログラムを実行することによって、本発明における座標情報出力部５１、表示制御部５２、判定部５３、測定データ補正部５４、および適正基準値更新部５５として機能する。
【００３３】
座標情報出力部５１は、タッチパネル１に対するタッチ操作が検出されると、表示部２の表示面２１に対応してタッチ操作によってタッチされた位置に対応する座標情報を生成し、その座標情報を出力する。
【００３４】
表示制御部５２は、表示部２を制御する機能を有し、たとえば、座標情報出力部５１によって出力された座標情報に基づいて測定データ補正プログラムが実行された場合に、そのプログラムに対応して、複数の検査項目２１１と、該各検査項目２１１に対応する単位を表す単位情報２１２との画像データに基づく画像が表示面２１に表示されるとともに、タッチパネル１における測定データの入力領域１１を表す画像が表示面２１に表示されるように、表示部２を制御する。
【００３５】
判定部５３は、第１記憶部７に記憶されている、表１に示す適正範囲テーブルを参照して、各検査項目２１１に対応してタッチパネル１に入力された測定データが、適正範囲内であるか否かを判定する。
【００３６】
測定データ補正部５４は、判定部５３によって適正範囲内ではないと判定された測定データを補正する。この測定データ補正部５４は、表１に示す適正範囲テーブルを参照して、適正範囲の上限値を超えた測定データについては、第１の特定補正処理として、該測定データを１０で除算する除算処理を繰返して実施し、第１記憶部７に記憶される適正基準値の８０〜１２０％の範囲内となった時点の値を、補正測定データとして出力する。測定データ補正部５４は、適正範囲の上限値を超えた測定データについて、１０で除算する補正処理を繰返して実施しても、第１記憶部７に記憶される適正基準値の８０〜１２０％の範囲内に収まらない場合には、タッチパネル１に対する測定データの再入力を要請する再入力要請信号を出力する。このように、測定データ補正部５４から再入力要請信号が出力されると、制御部５は、表示制御部５２を介して表示部２に、タッチパネル１に対する測定データの再入力を要請するための再入力要請情報を表示させる。
【００３７】
たとえば、適正基準値が「８５」に設定され、適正範囲の上限値が「５００」に設定されている、検査項目の最低血圧（ｍｍＨｇ）に対応した測定データについて、ユーザが、タッチパネル１に対するタッチ操作によって「８０」と入力すべきところを、桁数を誤って適正範囲の上限値を超える「８００」と入力した場合、測定データ補正部５４は、まず、「８００」を１０で除算して「８０」を得る。次に、測定データ補正部５４は、除算の補正処理によって得られた「８０」が、適正基準値「８５」の８０〜１２０％の範囲内であるかを判定する。「８０」は「８５」の９４．１％であり、８０〜１２０％の範囲内に収まっているので、この場合には測定データ補正部５４は、タッチパネル１に入力された「８００」に対して「８０」を補正測定データとして出力する。
【００３８】
また、測定データ補正部５４は、表１に示す適正範囲テーブルを参照して、適正範囲の下限値未満の測定データについては、該測定データが体温（℃）や睡眠時間（分間／日）などの特定検査項目に対応したデータである場合に、該測定データに予め定める第２の特定補正処理を施して、その第２の特定補正処理後の値を、補正測定データとして出力する。測定データ補正部５４は、適正範囲の下限値未満の測定データについて、特定検査項目に対応したデータではない場合には、タッチパネル１に対する測定データの再入力を要請する再入力要請信号を出力する。このように、測定データ補正部５４から再入力要請信号が出力されると、制御部５は、表示制御部５２を介して表示部２に、タッチパネル１に対する測定データの再入力を要請するための再入力要請情報を表示させる。
【００３９】
たとえば、適正範囲の下限値が「３０」に設定されている、特定検査項目の体温（℃）に対応した測定データについて、ユーザが、タッチパネル１に対するタッチ操作によって「３６．５」と入力すべきところを、日常よく使用する表現である「６度５分」に応じて、適正範囲の下限値未満の「６．５」と入力した場合、測定データ補正部５４は、まず、入力された測定データが「５〜８」の範囲内の値であるかを判定する。「６．５」は「５〜８」の範囲内の値であるので、次に測定データ補正部５４は、第２の特定補正処理として、体温に対応する測定データとして入力された「６．５」に「３０」を加算する加算処理を実施して、その加算処理後の値である「３６．５」を補正測定データとして出力する。
【００４０】
またたとえば、適正範囲の下限値が「１５」に設定されている、特定検査項目の睡眠時間（分間／日）に対応した測定データについて、ユーザが、タッチパネル１に対するタッチ操作によって「４８０」と入力すべきところを、単位が（時間／日）であると勘違いして、適正範囲の下限値未満の「８」と入力した場合、測定データ補正部５４は、まず、入力された測定データが「５〜１０」の範囲内の値であるかを判定する。「８」は「５〜１０」の範囲内の値であるので、次に測定データ補正部５４は、第２の特定補正処理として、睡眠時間に対応する測定データとして入力された「８」に「６０」を乗算する乗算処理を実施して、その乗算処理後の値である「４８０」を補正測定データとして出力する。
【００４１】
適正基準値更新部５５は、第１記憶部７に記憶されている適正基準値を、後述する第２記憶部８に蓄積されて記憶されるデータの最新データに更新する。たとえば、特定検査項目の体温（℃）に対応する適正基準値の初期設定値として「３６」が設定されている場合、体温に対応してタッチパネル１に入力された測定データに応じて第２記憶部８に蓄積されて記憶される最新データが「３６．５」であると、適正基準値更新部５５は、第１記憶部７に適正基準値として記憶されている「３６」を「３６．５」に書き換えて、適正基準値を更新する。
【００４２】
第２記憶部８は、判定部５３によって適正範囲内であると判定された測定データ、および、測定データ補正部５４によって出力された補正測定データを、検査項目ごとに、計時部６によって取得された日時情報と関連付けて記憶する。
【００４３】
次に、本実施形態の健康管理装置１００の動作について、説明する。図３は、健康管理装置１００の動作を示すフローチャートである。
【００４４】
操作キー部４を介して健康管理装置１００の電源が投入されると、制御部５は、第１記憶部７に記憶されるオペレーティングシステムプログラム、各種アプリケーションプログラム、および測定データ補正プログラムの実行を開始して、健康管理装置１００の動作を開始する。制御部５の表示制御部５２は、測定データ補正プログラムが起動されると、図２Ａおよび図２Ｂに示すような、複数の検査項目２１１と、該各検査項目２１１に対応する単位を表す単位情報２１２との画像データに基づく画像を表示部２に表示させるとともに、タッチパネル１における測定データの入力領域１１を表す画像を表示部２に表示させる。そして、制御部５は、表示部２の表示面２１に表示される入力領域１１に対応して、タッチパネル１に測定データが入力されると、測定データ補正処理を開始する。
【００４５】
ステップｓ１では、制御部５の判定部５３は、第１記憶部７に記憶されている、表１に示す適正範囲テーブルを参照して、各検査項目２１１に対応してタッチパネル１に入力された測定データが、適正範囲内であるか否かを判定する。タッチパネル１に入力された測定データが適正範囲内であると判定された場合にはステップｓ２に進み、適正範囲内ではないと判定された場合にはステップｓ３に進む。
【００４６】
ステップｓ２では、制御部５は、適正範囲内であると判定された測定データを、計時部６によって取得された日時情報と関連付けて第２記憶部８に記憶させて、処理を終了する。
【００４７】
ステップｓ３では、制御部５の測定データ補正部５４は、表１に示す適正範囲テーブルを参照して、各検査項目２１１に対応してタッチパネル１に入力された測定データが適正範囲の上限値を超えているか否かを判定する。タッチパネル１に入力された測定データが適正範囲の上限値を超えていると判定された場合にはステップｓ４に進み、適正範囲の上限値を超えていないと判定された場合にはステップｓ７に進む。
【００４８】
ステップｓ４では、制御部５の測定データ補正部５４は、タッチパネル１に入力された測定データを１０で除算する除算処理を繰返して実施する。次にステップｓ５では、測定データ補正部５４は、除算処理後の値が、適正基準値（第２記憶部８に記憶された最新データ）の８０〜１２０％の範囲内であるかを判定する。除算処理後の値が適正基準値の８０〜１２０％の範囲内であると判定された場合にはステップｓ６に進み、除算処理後の値が適正基準値の８０〜１２０％の範囲内ではないと判定された場合にはステップｓ９に進む。
【００４９】
ステップｓ６では、制御部５の測定データ補正部５４は、タッチパネル１に入力された測定データを１０で除算する除算処理後に、適正基準値の８０〜１２０％の範囲内となった時点の値を補正測定データとして出力し、その出力した補正測定データを、計時部６によって取得された日時情報と関連付けて第２記憶部８に記憶させて、処理を終了する。
【００５０】
ステップｓ３において、タッチパネル１に入力された測定データが適正範囲の上限値を超えていないと判定された後のステップｓ７では、制御部５の測定データ補正部５４は、表１に示す適正範囲テーブルを参照して、各検査項目２１１に対応してタッチパネル１に入力された測定データが適正範囲の下限値未満であるか否かを判定する。タッチパネル１に入力された測定データが適正範囲の下限値未満であると判定された場合にはステップｓ８に進む。また、適正範囲の下限値未満ではないと判定された場合にはステップｓ２に進み、測定データ補正部５４は、タッチパネル１に入力された測定データを第２記憶部８に記憶させる。
【００５１】
ステップｓ８では、制御部５の測定データ補正部５４は、タッチパネル１に入力された測定データが、体温（℃）や睡眠時間（分間／日）などの特定検査項目に対応したデータであるか否かを判定する。タッチパネル１に入力された測定データが特定検査項目に対応したデータであると判定された場合にはステップｓ１０に進み、タッチパネル１に入力された測定データが特定検査項目に対応したデータではないと判定された場合にはステップｓ９に進む。
【００５２】
ステップｓ９では、制御部５の測定データ補正部５４は、タッチパネル１に対する測定データの再入力を要請する再入力要請信号を出力する。このように、測定データ補正部５４から再入力要請信号が出力されると、制御部５は、表示制御部５２を介して表示部２に、タッチパネル１に対する測定データの再入力を要請するための再入力要請情報を表示させる。
【００５３】
ステップｓ１０では、制御部５の測定データ補正部５４は、タッチパネル１に入力された測定データに対して第２の特定補正処理を施して、その第２の特定補正処理後の値を、補正測定データとして出力する。
【００５４】
具体的には、特定検査項目の体温（℃）に対応した測定データについて、測定データ補正部５４は、まず、入力された測定データが「５〜８」の範囲内の値であるかを判定する。入力された測定データが「５〜８」の範囲内の値である場合には、測定データ補正部５４は、体温に対応して入力された測定データに３０を加算する加算処理を施して、その加算処理後の値を補正測定データとして出力する。
【００５５】
また、特定検査項目の睡眠時間（分間／日）に対応した測定データについて、測定データ補正部５４は、まず、入力された測定データが「５〜１０」の範囲内の値であるかを判定する。入力された測定データが「５〜１０」の範囲内の値である場合には、測定データ補正部５４は、睡眠時間に対して入力された測定データに６０を乗算する乗算処理を施して、その乗算処理後の値を補正測定データとして出力する。
【００５６】
次にステップｓ１１では、制御部５の測定データ補正部５４は、第２の特定補正処理後に出力した補正測定データを、計時部６によって取得された日時情報と関連付けて第２記憶部８に記憶させて、処理を終了する。
【００５７】
以上のように構成された健康管理装置１００は、桁数に誤りがあるなどで、ユーザの意図した値から大きく外れた測定データがタッチパネル１に入力された場合に、測定データ補正部５４によって適切な値に補正された補正測定データが出力され、ユーザにとっての利便性が向上されたものとなる。そして、第２記憶部８には、判定部５３によって適正範囲内であると判定された測定データ、および、測定データ補正部５４によって出力された補正測定データが、検査項目ごとに、日時情報と関連付けて記憶されるので、ユーザは、この第２記憶部８に記憶されているデータを、たとえば表示部２などに表示させることによって確認することができ、これによって自身の健康状態の変化を分析して健康管理に役立てることができる。
【００５８】
（実施例２）
上記の実施形態では、測定データ補正プログラムは、半導体メモリによって実現される第１記憶部７に記憶されているが、このような記憶装置に限定されるものではなく、コンピュータで読取り可能な記録媒体に記録されていてもよい。記録媒体は、たとえば図示しない外部記憶装置としてプログラム読取装置を設け、そこに記録媒体を挿入することによって読取り可能な記録媒体であってもよいし、または他の装置の記憶装置であってもよい。
【００５９】
いずれの記録媒体であっても、記録媒体に記憶されているプログラムがコンピュータからアクセスされて実行される構成であればよい。すなわち、いずれの記録媒体であっても、記録媒体からプログラムが読み出され、読み出されたプログラムが、記憶装置のプログラム記憶エリアに記憶されて、そのプログラムが実行される構成であればよい。さらに通信ネットワークを介して他の装置からダウンロードされてプログラム記憶エリアに記憶させてもよい。ダウンロード用のプログラムは、予めコンピュータの記憶装置に記憶しておくか、または別な記録媒体からプログラム記憶エリアにインストールしておく。
【００６０】
本体と分離可能に構成される記録媒体は、たとえば磁気テープ／カセットテープなどのテープ系の記録媒体、フロッピー（登録商標）ディスクなどの磁気ディスクのディスク系の記録媒体、フレキシブルディスク／ハードディスクなどの磁気ディスクもしくはＣＤ−ＲＯＭ（Compact Disk Read Only Memory）／ＭＯ（Magneto Optical disk）／ＭＤ（Mini Disk）／ＤＶＤ（Digital Versatile Disk）などの光ディスクのディスク系の記録媒体、ＩＣ（Integrated Circuit）カード（メモリカードを含む）／光カードなどのカード系の記録媒体、またはマスクＲＯＭ／ＥＰＲＯＭ（Erasable Programmable Read Only Memory）／ＥＥＰＲＯＭ（Electrically Erasable Programmable Read Only Memory）（登録商標）／フラッシュＲＯＭなどの半導体メモリを含む固定的にプログラムを担持する記録媒体であってもよい。
【符号の説明】
【００６１】
１  タッチパネル
２  表示部
３  移動体通信モジュール
４  操作キー部
５  制御部
６  計時部
７  第１記憶部
８  第２記憶部
５１  座標情報出力部
５２  表示制御部
５３  判定部
５４  測定データ補正部
５５  適正基準値更新部
１００  健康管理装置
【図１】
2015139587.tif 000004
【図２Ａ】
2015139587.tif 000005
【図２Ｂ】
2015139587.tif 000006
【図３】
2015139587.tif 000007